(57)【要約】【課題】芯材の原料としてオレフィン樹脂を用いることによるコスト高を磁性粉末のコストを下げることによって低減し、加えて、鉄粉に錆が発生させるという問題も解決する。【解決手段】この発明による掲示板等用シート材１は、磁性粉末が混入されたプラスチックシートを芯材２とし、その芯材２の表面に表装シート３、裏面に裏地シート４がそれぞれ貼設されて成る。前記芯材２は、オレフィン樹脂を原料としかつ磁性粉末として鉄粉と酸化鉄の粉末とが混入されたプラスチックシートであって、この芯材２に酸化防止剤が混入されている。【選択図】　図２
2004021231.tif 000002
【特許請求の範囲】
【請求項１】
磁性粉末が混入されたプラスチックシートを芯材とし、その芯材の表面に表装シート、裏面に裏地シートがそれぞれ貼設されて成る掲示板等用シート材において、前記芯材は、オレフィン樹脂を原料としかつ磁性粉末として鉄粉と酸化鉄の粉末とが混入されたプラスチックシートであって、この芯材に酸化防止剤が混入されて成る掲示板等用シート材。
【請求項２】
前記芯材と裏地シートとの間には、オレフィン樹脂を原料とする非通水性のフィルム層が設けられている請求項１に記載された掲示板等用シート材。
【請求項３】
前記芯材には合成ゴムが混入されている請求項１または２に記載された掲示板等用シート材。
【発明の詳細な説明】
【０００１】
【産業上の利用分野】
この発明は、永久磁石によってシート状の掲示物を表面に止め固定できる掲示板のように、磁性粉末が混入されたプラスチックシートを芯材として用いた掲示板等用シート材に関する。
【０００２】
【従来の技術】
従来、掲示板用のシート材は、芯材の表面に表装シートが貼設されたもので、芯材の裏面には、基板との接着性を良くするために、裏地シートが貼設されている。前記芯材として、材料単価、強度などの特性、製造や加工性の観点から、従来からポリ塩化ビニルが用いられており、この芯材に磁性粉末として鉄粉が混入されていた。
【０００３】
ところが、この掲示板用のシート材は、芯材の構成材料であるポリ塩化ビニルが塩素を含んでいるため、火災発生時や焼却処分時に、ダイオキシンのような有害物質を発生させるという欠点がある。また、芯材には可塑剤が混入されているため、この掲示板用のシート材がそのまま廃棄されると、可塑剤に含まれているフタル酸エステルなどの有害物質が溶け出すという問題がある。
【０００４】
そこで、発明者は、強度、風合い、色目などの特性がポリ塩化ビニルと同等であり、しかも、燃焼しても有害物質を発生させないポリエチレンやポリプロピレンなどのオレフィン樹脂を芯材の原料として用いることを想起し、これに鉄粉を混入することを検討した。
【０００５】
【発明が解決しようとする課題】
しかしながら、芯材の原料としてオレフィン樹脂を用いた場合、ポリ塩化ビニルを用いた場合と比較して、原料単価が嵩み、掲示板のコストが高くなるという問題があり、それに加えて、鉄粉が錆びて磁性体の機能を低下させるという問題が発生した。ポリ塩化ビニルを芯材に用いた従来例では、芯材に混入されている可塑剤が錆の発生を防止する働きがあり、鉄粉の錆は殆ど問題とならなかったのである。
【０００６】
この発明は、上記問題に着目してなされたもので、芯材の原料としてオレフィン樹脂を用いることによるコスト高を磁性粉末のコストを下げることによって低減し、加えて、鉄粉に錆が発生するという問題も解決した掲示板等用シート材を提供することを目的とする。
【０００７】
【課題を解決するための手段】
この発明による掲示板等用シート材は、磁性粉末が混入されたプラスチックシートを芯材とし、その芯材の表面に表装シート、裏面に裏地シートがそれぞれ貼設されて成るものである。前記芯材は、オレフィン樹脂を原料としかつ磁性粉末として鉄粉と酸化鉄の粉末とが混入されたプラスチックシートであって、この芯材に酸化防止剤が混入されている。
【０００８】
ここで、「掲示板等用シート材」とは、主として掲示板に用いられるシート材であって、掲示板以外の用途にも適用できるシート材である。掲示板以外の用途としては、具体的にはホワイトボード用のシート材や壁紙がある。
【０００９】
この発明の上記した構成において、「芯材」は表面に現れず、「表装シート」が表面に現れて外観を構成する。「裏地シート」は掲示板の基板などとの接着性を良好となすために設けられる。
「表装シート」は、好ましくは、ダイオキシンやフタル酸エステルのような有害物質が発生しないように、オレフィン樹脂を原料とするプラスチックシートをもって構成する。
また、「裏地シート」は、シート材の貼替えに際し、掲示板などの基板を痛めずにシート材のみを剥がせるようにするために、紙や不織布などで構成する。不織布としては綿糸の他に、オレフィン樹脂を原料としたものであってもよい。
【００１０】
この発明の好ましい実施態様は、前記芯材と裏地シートとの間には、オレフィン樹脂を原料とする非通水性のフィルム層が設けられたものである。この実施態様によれば、接着剤によりシート材を掲示板などの基板に貼設する場合に、前記非通水性のフィルム層の存在によって接着剤に含まれる水分が芯材へ進入するのが阻止され、鉄粉が錆びるのを防止できる。
【００１１】
この発明の好ましい実施態様は、前記芯材に合成ゴムが混入されたものである。芯材には鉄粉や酸化鉄の粉末が混入されるため、シート材が硬くかつ脆くなりがちであるが、合成ゴムの混入により、シート材の硬さが適度に調整され、また、弾性が付与される結果、脆弱となるのが防止される。
【００１２】
この発明による掲示板等用シート材は、芯材としてオレフィン樹脂を原料とするプラスチックシートを用いているので、ポリ塩化ビニルを芯材の原料とした従来例のように、燃焼しても有害物質を発生させず、また、そのまま廃棄しても有害物質が溶け出すこともない。
また、オレフィン樹脂を芯材の原料に用いた場合、従来例と比較して原料単価が高くつくが、磁性粉末として比較的安価な酸化鉄の粉末を鉄粉に混ぜて使用しているので、磁性粉末のコストを下げることができ、その分、前記原料単価のコスト高を低減できる。
さらに、芯材に酸化防止剤を混入しているので、鉄粉が錆びるのを防止でき、磁性体の機能を低下させることがない。
【００１３】
【実施例】
図１および図２は、この発明によるシート材１が用いられた掲示板１０の外観および構成を示す。なお、この発明によるシート材１は、独立した物品としての掲示板のみならず、掲示が可能な壁面の壁紙としても使用できる。
【００１４】
図示例の掲示板１０は、合板製の基板１１の表面に、接着剤１３によってこの発明の一実施例であるシート材１を貼設するとともに、外周縁に沿って枠１２が取り付けられたものである。前記接着剤１３として、例えば、木工ボンド、クロスのりなどのエマルジョン系の接着剤やゴム系の接着剤が用いられる。
【００１５】
前記シート材１は、芯材２の表面に表装シート３が貼設されたもので、芯材２の裏面には、非通水性のフィルム層５を介して裏地シート４が貼設されている。前記芯材２は、オレフィン樹脂を原料とするプラスチックシートより成り、この芯材２には、磁性粉末として鉄粉と酸化鉄の粉末とが混入されるとともに、酸化防止剤および合成ゴムが混入されている。なお、図１において、１４は掲示板１０上に永久磁石１５により止め固定されたシート状の掲示物である。
【００１６】
前記オレフィン樹脂には、ポリプロピレン系樹脂やポリエチレン系樹脂などが含まれ、炭素と水素とで構成されるので、燃焼時、ダイオキシンのような有害物質を発生させることがない。この実施例では、ポリプロピレン系エラストマーを用いているが、これに代えて、ポリエチレン系樹脂や酢酸ビニルーエチレン共重合樹脂（ＥＶＡ）を用いてもよい。
【００１７】
芯材２に混入される磁性粉末として、鉄粉に酸化鉄の粉末が混入されたものを用いたのは、鉄粉に比較して酸化鉄の粉末の方が錆びにくく、安価であるとの理由による。また、芯材２に酸化防止剤を混入したのは、主として鉄粉が錆びるのを防止するためである。
芯材２には鉄粉や酸化鉄の粉末が混入されているため、シート材１が硬くかつ脆くなりがちであるが、この芯材２に合成ゴムを混入することによりシート材１を適度な硬さに調整し、また、弾性を付与することでシート材が脆弱になるのを防止している。
【００１８】
この実施例では、芯材２を構成するオレフィン樹脂、鉄粉、酸化鉄、合成ゴム、および酸化防止剤の混合比率を、重量比で２５：１３５：６０：３：２に設定しているが、必ずしもこの比率に限定されるものではない。なお、鉄粉および酸化鉄の粉末とオレフィン樹脂とは混練しにくいため、鉄粉および酸化鉄の粉末の粒径は細かくするのが望ましい。
【００１９】
前記表装シート３や非通水性のフィルム層５には、オレフィン樹脂としてのポリエチレン系樹脂、ポリプロピレン樹脂、酢酸ビニルーエチレン共重合樹脂（ＥＶＡ）などが用いられる。
また、前記裏地シート４には、接着剤と馴染み易い綿の不織布が用いてあるが、綿に代えて、レーヨン、ポリエステルなどを用いてもよく、また、不織布に代えて、綿、レーヨン、ポリエステルなどの織布を用いてもよい。なお、非通水性のフィルム層５は、芯材２の裏面に綿の不織布より成る裏地シート４を密着させる働きもある。
【００２０】
上記した構成のシート材１を製作するのに、まず、非通水性のフィルム層５の材料となるフィルム材を加熱し、これを裏地シート４上に重ねてラミネートする。その上に、加熱された芯材２を重ね、さらにその上に表装シート３を重ねて加熱圧延すると、芯材２と表装シート３との間および芯材２とフィルム材との間が熱溶着されて一体化され、芯材２と裏地シート４との間に非通水性のフィルム層５が形成される。なお、芯材２と表装シート３との接合を良好となすために、芯材２と表装シート３との間にオレフィン樹脂などのフィルム層を介在させてもよい。
【００２１】
上記した構成のシート材１は、芯材２としてオレフィン樹脂を原料とするプラスチックシートを用いているので、ポリ塩化ビニルを芯材の原料とした従来例のように、燃焼しても有害物質を発生させることがなく、また、そのまま廃棄されても有害物質が溶け出すこともない。
【００２２】
また、オレフィン樹脂を芯材２の原料とした場合、従来例と比較して原料単価が高くつくが、磁性粉末として比較的安価な酸化鉄の粉末を鉄粉に混ぜて使用しているので、磁性粉末のコストを下げることができ、その分、前記原料単価のコスト高を低減できる。
さらに、芯材２に酸化防止剤を混入しているので、鉄粉が錆びるのを防止でき、磁性体の機能を低下させることがない。
【００２３】
【発明の効果】
この発明によると、芯材としてオレフィン樹脂を原料とするプラスチックシートを用いたから、ポリ塩化ビニルを芯材の原料とした従来例のように燃焼や廃棄によって有害物質を発生させることがない。さらに、鉄粉に安価な酸化鉄の粉末を混ぜたものを磁性粉末として用いるから、芯材の原料としてオレフィン樹脂を用いることによるコスト高を磁性粉末のコストを下げることにより低減できる。さらに、芯材に酸化防止剤を混入したから、鉄粉に錆が発生するのを防止でき、磁性体の機能を低下させない。
【図面の簡単な説明】
【図１】掲示板の外観を示す斜視図である。
【図２】図１の掲示板の構成を示す断面図である。
【符号の説明】
１　　シート材
２　　芯材
３　　表装シート
４　　裏地シート
５　　非通水性のフィルム層
【図１】
2004021231.tif 000003
【図２】
2004021231.tif 000004